(57)【要約】      （修正有）【課題】安全意識を高めるメッセージを表記したメッセージプレート、特に運転者名を掲示できる機能を有するプレートをオートバイに取付け可能としたオートバイ用メッセージプレートを提供する。【解決手段】メッセージプレート本体１は透明ないし半透明の合成樹脂製板を基材とし、縦方向長さがナンバープレート２よりも長尺に形成されていて、ナンバープレート２の下端部から突出した下方余部にメッセージ表示部を設けてある。当該メッセージ表示部に隣接してオートバイの運転者名を表示したネームプレートを交換可能に挿着し得るポケット部を形成し、当該メッセージプレート本体１がナンバープレート２の内側となるようにしてナンバープレート２と一緒にオートバイのバックフェンダー１１に取付けるようにした。【選択図】図４
0003178341.tif 000002
【実用新案登録請求の範囲】
【請求項１】
オートバイのバックフェンダーに螺子止めされるナンバープレートを利用して取付けるメッセージプレートであって、当該メッセージプレート本体は透明ないし半透明の合成樹脂製板を基材とし、縦方向長さがナンバープレートよりも長尺に形成されていて、ナンバープレートの下端部から突出した下方余部にメッセージ表示部を設けると共に、当該メッセージ表示部に隣接してオートバイの運転者名を表示したネームプレートを交換可能に挿着し得るポケット部を形成してなり、当該メッセージプレート本体がナンバープレートの内側となるようにしてナンバープレートと一緒にオートバイのバックフェンダーに取付けるようにしたことを特徴とするオートバイ用メッセージプレート。
【請求項２】
メッセージ表示部及びネームプレートを交換可能に挿着し得るポケット部がメッセージプレート本体の背面側に設けてあることを特徴とするオートバイ用メッセージプレート。
【考案の詳細な説明】
【技術分野】
【０００１】
本考案はオートバイのバックフェンダー部分に螺子止めされるナンバープレートを利用して取付けるメッセージプレートに関する。
【背景技術】
【０００２】
運送業者が運営する輸送トラックや、バス会社のバスなど営業車には、車体外部に運転者名を表示したネームプレートを挿着するプレートホルダーを取付けて運転者の安全意識の向上を図ることが行われている。
【０００３】
また、下記の特許文献１には、広告媒体を車両のナンバープレート外縁部又はナンバープレート枠用のフレームにナンバープレートのボルトを利用して取付けることが開示されていると共に、特許文献２には、自動車の前後端部に装着されるナンバープレートを利用した自動車用広告装置が開示されている。
【先行技術文献】
【特許文献】
【０００４】
【特許文献１】特開２００５−２８４２２４号公報
【特許文献２】実用新案登録第３１１１０００号公報
【考案の概要】
【考案が解決しようとする課題】
【０００５】
上記したように、運送会社などによるトラックの荷台後面などに運転者名を表示したネームプレートを取付けて法令順守意識を向上させることや、ナンバープレートを利用した広告などは、既に知られている。
【０００６】
トラックなどの営業車の場合は、荷台後面や側面などに比較的大きな掲示面積を有しているので、ネームプレートやメッセージプレートを取付けるのに何らの困難を伴うことがない。
【０００７】
しかしながら、オートバイ、特に新聞配達などの際に用いられる単車の場合は、比較的狭い幅のバックフェンダーしか取付けるスペースがなく、しかも当該バックフェンダーは曲面部分が多いと共にナンバープレートが取付けられているため、トラックなどの営業車で行われているようなネームプレートやメッセージプレートを取付けることができないという問題点がある。
【０００８】
そこで、本考案は前記した従来の問題点を解消し、これまでトラックなど四輪車にしか適用することができなかった安全意識を高めるメッセージを表記したメッセージプレート、特に運転者名を掲示できる機能を有するプレートをオートバイに取付け可能としたオートバイ用メッセージプレートを提供することを目的とするものである。
【課題を解決するための手段】
【０００９】
上記課題を解決するための本考案の構成を詳述すれば、請求項１に係る考案は、オートバイのバックフェンダーに螺子止めされるナンバープレートを利用して取付けるメッセージプレートであって、当該メッセージプレート本体は透明ないし半透明の合成樹脂製板を基材とし、縦方向長さがナンバープレートよりも長尺に形成されていて、ナンバープレートの下端部から突出した下方余部にメッセージ表示部を設けると共に、当該メッセージ表示部に隣接してオートバイの運転者名を表示したネームプレートを交換可能に挿着し得るポケット部を形成してなり、当該メッセージプレート本体がナンバープレートの内側となるようにしてナンバープレートと一緒にオートバイのバックフェンダーに取付けるようにしたことを特徴とするオートバイ用メッセージプレートである。
【００１０】
また、請求項２に係る考案は、メッセージ表示部及びネームプレートを交換可能に挿着し得るポケット部がメッセージプレート本体の背面側に設けてあることを特徴とするオートバイ用メッセージプレートである。
【考案の効果】
【００１１】
本考案に係るオートバイ用メッセージプレートによれば、オートバイバックフェンダーのように多曲面を有し、当該プレートを掲示することが困難な場合においてもナンバープレート部分を利用することによりオートバイ側に何らの加工を施すことなく簡単に装着でき、安全意識を高め得るメッセージを表示することや、運転者名を表示することが可能となって、交通事故防止に資することができるものである。
【００１２】
また、ネームプレートは運転者の変更に伴い、任意に差換えることができると共に、請求項２のように、メッセージ表示部及びネームプレートを交換可能に挿着し得るポケット部をメッセージプレート本体の背面側に設けた場合には、印刷表示面やポケット部が直接風雨の影響を受けることが少なくなり耐久性に優れたオートバイ用メッセージプレートを提供することができる。
【図面の簡単な説明】
【００１３】
【図１】本考案に係るオートバイ用メッセージプレートの一実施形態を示す正面図である。
【図２】図１に示すオートバイ用メッセージプレートの背面図である。
【図３】図１のＡ−Ａ線に沿った断面図である。
【図４】本考案に係るオートバイ用メッセージプレートをオートバイのバックフェンダーに取付けるときの説明図である。
【考案を実施するための形態】
【００１４】
以下、本考案に係るオートバイ用メッセージプレートの具体的構成を図示の実施形態に基づき詳細に説明する。
【００１５】
図中１は汎用のポリ塩化ビニル樹脂を始めとした透明ないし半透明の高分子材料によって製せられたメッセージプレート本体を示す。当該メッセージプレート本体１は、図１及び図２に示すように縦方向長さがナンバープレート２よりも長尺に形成されていて、ナンバープレート２の下端部から突出した下方余部にメッセージ表示部３を設けると共に、当該メッセージ表示部３に隣接してオートバイの運転者名を表示したネームプレート４を交換可能に挿着し得るポケット部５を形成してなるものである。
【００１６】
図示の実施形態においては、メッセージプレート本体１の幅方向寸法はナンバープレート２の幅方向寸法より若干大きくなっているが、ナンバープレート２の幅方向寸法と同一、あるいはナンバープレート２の幅方向寸法より若干短くしてもよいのは勿論である。
【００１７】
メッセージプレート本体１に形成したメッセージ表示部３に隣接して設けるポケット部５は、図１及び図３に示すように左右の側板６，６、背面板７及び底面板８によって形成されており、左右の側板６，６に相当する厚みの空間が得られ、当該空間内に上面開口部を介してオートバイの運転者名を表示したネームプレート４を差換え可能に挿着するものである。
【００１８】
なお、図示する実施形態のメッセージプレート本体１はほぼ正方形状をなしているが、これを矩形状あるいは後述するような取付け操作に支障を来たさない範囲で楕円状、雲型状など任意の外観形態に変更することが可能である。
【００１９】
その他、図中の９はメッセージプレート本体１の上部二箇所に穿設した通孔であり、当該２個の通孔９，９の間隔はナンバープレート２に開けられている通孔１０，１０の間隔と同じにしてある。なお、図示するように楕円状の通孔９，９とすることにより、取付けの際の調整がスムーズとなる。
【００２０】
次に、本考案に係るオートバイ用メッセージプレートの取付け操作につき説明すれば、図４に示すようにオートバイのバックフェンダー１１に設けられているナンバープレート取付板１２と、ナンバープレート２の間に本考案に係るメッセージプレート本体１を配置し、相互の通孔を合致させてから座がね１３，１３を介して止め螺子１４、１４で共締め固定する。
【００２１】
前記したように、メッセージ表示部３はナンバープレート４の下端部から突出した下方余部に設けられているので、ナンバープレート４によってメッセージ表示面が隠れてしまうようなことはない。
【００２２】
メッセージ表示部３には、例えば「私たちは安全運転を心がけています」のような安全運転に資する標語を表示しておく。また、このメッセージ表示部３に隣接して形成してあるポケット部５内にオートバイを運転する者の名前を表示したネームプレート４を挿着しておくことにより、交通安全意識がこれまで以上に高められるものである。
【００２３】
なお、上記したメッセージ表示部３及びネームプレート４を交換可能に挿着し得るポケット部５はメッセージプレート本体１の背面側に設けておくと、当該背面側はバックフェンダー１１側と向き合うかたちとなって直接風雨に晒されることがなく、メッセージ部分が汚れるのをある程度防ぐことができるものである。
【００２４】
本考案オートバイ用メッセージプレートは以上のような構成からなり、オートバイバックフェンダーのように多くの曲面を有し、メッセージプレートを掲示することが困難な場合においてもナンバープレート部分を利用することによりオートバイ側に何らの加工を施すことなく簡単に装着することができ、交通安全意識を高め得るメッセージを表示することや、運転者名を表示することが可能となることと相俟って、交通事故防止に資することができるものである。
【００２５】
なお、メッセージプレートのメッセージ表示部３には、交通安全の標語以外にも商品やサービスの広告表示を行って、広告媒体として利用することも充分可能である。
【符号の説明】
【００２６】
１：メッセージプレート本体
２：ナンバープレート
３：メッセージ表示部
４：ネームプレート
５：ポケット部
６：側板
７：背面板
８：底面板
９：通孔
１０：通孔
１１：バックフェンダー
１２：ナンバープレート取付板
１３：座がね
１４：止め螺子
【図１】
0003178341.tif 000003
【図２】
0003178341.tif 000004
【図３】
0003178341.tif 000005
【図４】
0003178341.tif 000006